(57)【要約】【課題】運転開始時に床暖房装置の停止された時間（放置時間）を検出し、装置内の水温に応じた立ち上がり運転を実施する温水式床暖房装置を提供する。【解決手段】床暖房パネル３と、この床暖房パネル３に温水管７でつなぎ開閉弁８を介して温水を供給する熱源機２とを備え、前記開閉弁８を周期的に開閉して通常の暖房運転を実施する温水式床暖房装置１において、運転開始時に前記開閉弁８を連続して開いて運転する立ち上がり運転を実施するとともに、運転開始時前の停止時間を検出しこの停止時間に基づいて立ち上がり運転時間を決定するように制御する制御装置１３を設けた。【選択図】　　　図１
2004003684.tif 000002
【特許請求の範囲】
【請求項１】
床暖房パネルと、この床暖房パネルに温水管でつなぎ開閉弁を介して温水を供給する熱源機とを備え、前記開閉弁を周期的に開閉して通常の暖房運転を実施する温水式床暖房装置において、
運転開始時に前記開閉弁を連続して開いて運転する立ち上がり運転を実施するとともに、運転開始時前の停止時間を検出しこの停止時間に基づいて立ち上がり運転時間を決定するように制御する制御装置を設けたことを特徴とする温水式床暖房装置。
【請求項２】
前記温水式床暖房装置は開閉弁の一周期当たりの開放時間の異なる複数の運転モードを有し、これら各運転モード毎に立ち上がり運転の所定時間が設定され、これら各所定時間と前記停止時間とから立ち上がり運転時間を決定することを特徴とする請求項１に記載の温水式床暖房装置。
【請求項３】
前記立ち上がり運転は、温水式床暖房装置の運転を開始する運転スイッチの操作により実施されることを特徴とする請求項１または２に記載の温水式床暖房装置。
【発明の詳細な説明】
【０００１】
【発明の属する技術分野】
本発明は、床暖房パネルに温水を循環供給させる温水式床暖房装置に関するものである。
【０００２】
【従来技術】
従来、例えば室外に設置した熱源機と室内に敷設した床暖房パネルとを温水管でつなぎ、熱源機で加熱生成された温水を、温水管を介して床暖房パネルに供給循環することにより室内を所望の温度に暖房する温水式床暖房装置（以下、単に床暖房装置という）が知られている。
【０００３】
この種床暖房装置は、温水管に開閉弁を設けこの開閉弁を周期的に開閉制御することにより床暖房パネルに供給する温水量を調節し、室温を変動の少ない安定した設定温度に維持するように制御されている。
【０００４】
ところで、前記床暖房装置の運転開始時には、温水管、床暖房パネル及び熱源機の内部に保有されている全ての水が冷えているために、これらの水を暖めるのに時間がかかる。このため室温が設定温度に達するまでの時間（立ち上がり時間）が長くなりなかなか暖まらないことによる不快感を感じる。
【０００５】
そこで、運転開始時には通常運転時よりも暖房能力を上げて一定時間運転する立ち上がり運転を行っている。これにより立ち上がり時間を短くし不快感を軽減している。
【０００６】
【発明が解決しようとする課題】
しかしながら、前記床暖房装置の立ち上がり運転は、床暖房装置内の水が冷えている状態を想定して設定しているため、前回運転の停止時から今回運転の開始時までの停止時間（放置時間）が短い場合には、水温が暖かいため、暖房能力が大きすぎてエネルギーの無駄使いになることがある。
【０００７】
本発明は、上述のような従来の事情に鑑みなされたものであり、運転開始時に床暖房装置の停止された時間（放置時間）を検出し、装置内の水温に応じた立ち上がり運転を実施する温水式床暖房装置を提供することを目的とする。
【０００８】
【課題を解決するための手段】
上記目的を達成するために、請求項１に記載の発明は、床暖房パネルと、この床暖房パネルに温水管でつなぎ開閉弁を介して温水を供給する熱源機とを備え、前記開閉弁を周期的に開閉して通常の暖房運転を実施する温水式床暖房装置において、運転開始時に前記開閉弁を連続して開いて運転する立ち上がり運転を実施するとともに、運転開始時前の停止時間を検出しこの停止時間に基づいて立ち上がり運転時間を決定するように制御する制御装置を設けたことを特徴とする。
【０００９】
請求項２に記載の発明は、請求項１に記載の温水式床暖房装置において、前記温水式床暖房装置は開閉弁の一周期当たりの開放時間の異なる複数の運転モードを有し、これら各運転モード毎に立ち上がり運転の所定時間が設定され、これら各所定時間と前記停止時間とから立ち上がり運転時間を決定することを特徴とする。
【００１０】
請求項３に記載の発明は、請求項１または２に記載の床暖房装置において、前記立ち上がり運転は、床暖房装置の運転を開始する運転スイッチの操作により実施されることを特徴とする。
【００１１】
【発明の実施の形態】
以下、本発明の一実施形態を図面に基づいて説明する。図１は本発明の一実施形態における床暖房装置の概略説明図、図２は床暖房装置を操作するリモコンの正面図、図３は制御装置の概要構成を示すブロック図である。
【００１２】
図１において、本発明の床暖房装置１は、室外に設置した熱源機２と、室内に敷設した床暖房パネル３及びリモコンＲとを備え、熱源機２内には、下方にガス燃焼部４を配設した燃焼装置５と、この燃焼装置５の外周に巻き付けられたパイプ状熱交換器６とを有し、この熱交換器６が配水配管７にて床暖房パネル３に接続されている。前記温水管７の途中には、電磁弁よりなる開閉弁８と循環ポンプＰとを設け、これら開閉弁８、循環ポンプＰ、室温センサ９及びガス燃焼部４のガス弁１２等を制御装置１３に接続し、全体として床暖房装置１を構成している。室温センサ９は室温を検出して制御装置１３に温度信号を送信している。
【００１３】
図２において、リモコンＲには、運転入／切スイッチ１４、モード切替スイッチ１５、希望する室温に設定する室温設定スイッチ１６、設定された時間に運転を開始または停止するタイマースイッチ１７等を有し、さらにこれら操作スイッチで設定された内容や室温等を液晶表示する表示部２２及び前記室温センサ９を有している。
【００１４】
前記運転入／切スイッチ１４は、一度このスイッチ１４を押すことにより床暖房装置１の運転が開始され、もう一度押すことにより運転が停止される。前記モード切替スイッチ１５は、暖房能力を強・中・弱・自動のモードに設定することができる。自動に設定した場合には、室温と設定温度の差に応じて自動的に強・中・弱モードの運転に切り替わる。
【００１５】
図３において、制御装置１３は制御用プログラムを格納したＲＯＭ、各種データを記憶するＲＡＭ、アナログ／ディジタル変換を行うＡ／Ｄ変換器、随時書き込み可能な記憶手段としてＥＥＰＲＯＭ等を内蔵し、床暖房機全体の制御を行うマイクロコンピュータ（以下マイコンという）２３を有している。このマイコン２３には、運転開始時に行われる立ち上がり運転の所定時間Ｓが設定収納される。また、このマイコン２３には、時計機能が内蔵され、床暖房装置１の運転経歴を監視し、前回運転時の運転停止時刻が記録される。そしてこの停止時刻の記録と次に運転を開始した時刻から装置１の停止していた時間（放置時間）を算出し、この放置時間により決定される係数Ｋが設定収納されている。
【００１６】
前記マイコン２３の入力側には、室温センサ９や運転・停止を行わせるための運転入／切スイッチ１４、設定温度スイッチ１５、希望する時刻に運転・停止を行わせるタイマースイッチ１７等が接続されている。
【００１７】
一方、マイコン２３の出力側には、循環ポンプＰ、ガス弁１２、開閉弁８及びリモコンＲの表示部２２等が接続されている。
【００１８】
次にこの床暖房装置の通常運転時の動作を説明する。
【００１９】
図１において、燃焼装置５の燃焼によりパイプ状熱交換器３内で加熱された温水は、循環ポンプＰの作動により温水管７を経て床暖房パネル５に流入し、前記床暖房パネル３を暖めるとともにこの輻射熱によって室内を加温して室温を上昇させる。開閉弁８は、周期的に開閉比率が設定され開閉制御されることで暖房能力が調節され、床温が大きく変動しないようにしてある。
【００２０】
この開閉弁８の調節は、例えば、図４に示すように、一周期Ｔを２０分とし、開閉弁８の開放時間ｔ１を１５分とすることで強モード、開放時間ｔ２を１０分とすることで中モード、開放時間ｔ３を５分とすることで弱モードにしている。これら強・中・弱モードの運転は、室温が設定温度に達したとき燃焼を停止して開閉弁８を閉じ、室温が設定温度未満になったとき開閉弁８を開いて燃焼を再開するサーモサイクル運転が行われる。
【００２１】
次に床暖房装置の運転開始時の動作を説明する。図５は床暖房装置の放置時間と立ち上がり時間との関係を示す表、図６は運転開始時の開閉弁の一開閉例を示す動作説明図である。
【００２２】
図１、図５、図６において、運転入／切スイッチ１４が押され運転が開始されると、制御装置１３は立ち上がりの所定間Ｓを選出する。次に前回運転時の停止時刻の記録から装置１の停止していた時間（放置時間）を算出する。そして、放置時間により決定される係数Ｋを選出しこの係数Ｋに所定時間Ｓを掛けて立ち上がり時間Ｋ×Ｓを決定する。
【００２３】
この立ち上がり時間Ｋ×Ｓは、例えば、立ち上がりの所定時間Ｓが３０分に設定されている場合、放置時間が３０分以上のときには、制御装置１３は係数Ｋとして１００％を選出しＫ×Ｓが３０分になり立ち上がり運転時間は３０分になる。以下、同様に放置時間が２０分以上３０分未満のときは立ち上がり運転時間は２２．５分、２０分以上３０分未満のときは１５分、１０分未満のときは７．５分になる。
【００２４】
これにより、制御装置１３は、連続してＫ×Ｓ時間開閉弁８を開き、燃焼装置５及び循環ポンプＰを作動させ、床暖房パネル５に温水を供給し立ち上がり運転を実施する。
【００２５】
このように、本実施形態における床暖房装置１は、運転入／切スイッチ１４が運転操作されると、装置１の放置時間を算出し立ち上がり運転時間を決定するので、装置１内の水温に応じた適正な暖房能力で立ち上がり運転を実施することができる。
【００２６】
また、前記立ち上がりの所定時間Ｓは、例えば弱運転モードでは３０分、中運転モードでは６０分、強運転モードでは９０分、自動運転モードでは９０分の長さに設定しており、運転モード毎に所定時間を設定している。これにより、各運転モード毎に立ち上がり運転時間が決定され、各運転モードに対応した立ち上がり運転を実施することができる。
【００２７】
以上、一実施の形態に基づいて本発明を説明したが、本発明は、上記実施の形態に限定されるものではない。
【００２８】
【発明の効果】
以上説明したように、本発明の床暖房装置は、床暖房装置の運転経歴を記録し、運転開始時に装置の放置時間を算出して立ち上がり運転時間を決定するので、適正な暖房能力で立ち上がり運転が実施され、快適な床暖房を実現することができる。
【００２９】
また、運転モード毎に立ち上がり運転の所定時間を設定しているので、運転モードに対応した適正な立ち上がり運転を実施することができる。
【図面の簡単な説明】
【図１】本発明の一実施形態における床暖房装置の概略図である。
【図２】図１の床暖房装置を操作するリモコンの正面図である。
【図３】図１の制御装置の概要構成を示すブロック図である。
【図４】図１の運転モード毎における開閉弁の開閉状態を示す動作説明図である。
【図５】床暖房装置の放置時間と立ち上がり時間との関係を示す表である。
【図６】運転開始時の開閉弁の一開閉例を示す動作説明図である。
【符号の説明】
１　床暖房装置
２　熱源機
３　床暖房パネル
５　燃焼装置
７　温水管
８　開閉弁
９　室温センサ
１３　制御装置
１４　運転入／切スイッチ（運転スイッチ）
Ｓ　立ち上がり運転の所定時間
Ｋ　放置時間により決定される係数
【図１】
2004003684.tif 000003
【図２】
2004003684.tif 000004
【図３】
2004003684.tif 000005
【図４】
2004003684.tif 000006
【図５】
2004003684.tif 000007
【図６】
2004003684.tif 000008